(57)【要約】      （修正有）【課題】サーモエレメントを備える電気炊飯器の上蓋を提供する。【解決手段】蓋体１０と、湾曲サーモエレメント２０と固定具３０とを含み、湾曲サーモエレメント及び固定具は共に蓋体の底面に設置され、湾曲サーモエレメントはさらに湾曲部２１と温度センサ２２とを含み、該湾曲部の先端が蓋体の底面に固設され、ホースの底端に温度センサが連結されることで、温度センサはホースの自由端になり、温度センサは選択的に固定具に係止されるとともに、湾曲部に湾曲させ、ユーザが低温熟成しようとする際に、該温度センサを固定具から分離させて蓋体に対して湾曲させるだけで、温度センサを電気炊飯器の内釜内に挿入し、精確に内釜内の実際温度を計測することができる。【選択図】図１
0003215191.tif 000002
【実用新案登録請求の範囲】
【請求項１】
蓋体と、
前記蓋体の底面に設けられる湾曲サーモエレメントとを含み、
前記湾曲サーモエレメントは湾曲部と温度センサとを含み、前記湾曲部の両端がそれぞれ前記蓋体の底面及び前記温度センサに接続されているサーモエレメントを備える電気炊飯器の上蓋。
【請求項２】
前記湾曲部は自在継手である請求項１に記載のサーモエレメントを備える電気炊飯器の上蓋。
【請求項３】
前記湾曲部は蛇管である請求項１に記載のサーモエレメントを備える電気炊飯器の上蓋。
【請求項４】
前記蓋体の底面に設けられる固定具をさらに含み、前記湾曲サーモエレメントが選択的に前記固定具に固定されている請求項１〜３の何れか一項に記載のサーモエレメントを備える電気炊飯器の上蓋。
【請求項５】
前記温度センサの長さが前記湾曲部の長さより長く、前記温度センサが選択的に前記固定具に固定されている請求項４に記載のサーモエレメントを備える電気炊飯器の上蓋。
【請求項６】
前記温度センサが管体であり、
前記固定具の底面に係合溝が形成され、前記係合溝が前記固定具の対向する両端まで延在し、前記温度センサが選択的に前記係合溝内に係合し収容され、前記係合溝の開口の幅が前記温度センサの幅より狭い請求項５に記載のサーモエレメントを備える電気炊飯器の上蓋。
【請求項７】
前記温度センサは管体であり、前記固定具はフックユニットで、前記固定具は接続部とフック部とを含み、前記接続部の先端が前記蓋体の底面に接続され、前記接続部の底端が前記フック部の一端に接続され、前記フック部の他端が前記接続部に接続する前記端湾曲に沿ってＵ字型フックを形成し、前記温度センサが選択的に前記フック部に固定されている請求項５に記載のサーモエレメントを備える電気炊飯器の上蓋。
【請求項８】
前記蓋体は主体とシール蓋とを含み、
前記主体の底面に丸溝が設けられ、前記シール蓋が前記主体の前記丸溝内に設けられ、前記シール蓋の面積及び形状と前記丸溝の面積及び形状とは同じであり、前記湾曲部が前記シール蓋に接続され、前記固定具は前記シール蓋に設けられる請求項１〜３の何れか一項に記載のサーモエレメントを備える電気炊飯器の上蓋。
【請求項９】
その先端が前記蓋体に底面に螺合し、その底端が前記湾曲部に接続される接続管をさらに含む請求項１〜３の何れか一項に記載のサーモエレメントを備える電気炊飯器の上蓋。
【請求項１０】
前記温度センサは鋼性の管体である請求項１〜３の何れか一項に記載のサーモエレメントを備える電気炊飯器の上蓋。
【考案の詳細な説明】
【技術分野】
【０００１】
本考案は定温料理機能を備える電気炊飯器の蓋に関して、特に温度センサを備える電気炊飯器の蓋に関する。
【背景技術】
【０００２】
従来の技術において、電気炊飯器は家庭でよく使われる調理器具として、ご飯を炊く用途又はその他釜内部を加熱することでその内部に入れられた食材を熟成させる用途に適用できる。一般には、このような電気炊飯器の表面に炊飯器内の温度を表示可能なモニタが設けられ、ユーザが自分で食材の特定温度での熱受時間の長さを把握しやすくなる。  
【０００３】
図１３及び図１４に示すように、このような電気炊飯器９０の結構は外釜９１と内釜９２とを含み、食材が内釜９２内で加熱され、温度を感応するセンサが二つあり、一方の第一温度センサ９３が外釜の底面又は壁面に設けられ、他方の第二温度センサ９４が電気炊飯器の頂蓋９５の内壁面に設けられ、該両温度センサ９３、９４の用途について、外釜９１壁面にある第一温度センサ９３が主要なセンサであり、炊飯器内の温度を継続にモニタリングし、その数値を頂蓋のモニタ（図中未示）に表示し、頂蓋９５の内壁面にある第二温度センサ９４はセーフティー・スイッチとして使われる。お粥又は水分が多い食物を調理する場合、温度が高すぎるとき、水分が沸騰して頂蓋９５に盛り上がってはみ出さないように、頂蓋９５の内壁面にある第二温度センサ９４はその周囲の温度が一定の温度になることを検知すると、食材の過度過熱を防ぐために、自動に釜内の温度を低下させる。
【０００４】
現在の人々は食べ物の口当たり、栄養成分などに対する重視度が年に向上し、いろいろな新規の調理方法も相応に現れている。その中に、食材を食品保存袋にパッケージした後で、加熱されたが沸騰していない湯に入れて水を介して加熱する調理方法は低温熟成法と俗称され、とりわけ盛んになり、特に、例えば、ステーキなど口当たりと温度との関連性が高い食材について、最大限に食材の旨さを引き出し、もっと多くの栄養成分を保留するために、低温熟成法の方式を利用する場合、温度に対して極めて高い精確度が要求され、加温の過不足を防ぐようとする。
【０００５】
一般には、家庭用の電気炊飯器９０は、水を内釜９２に入れて食材をパッケージした上で低温熟成を実施することができるが、家庭用電気炊飯器９０の第一温度センサ９３が外釜９１の底面又は壁面に設けられるので、その検知した温度と内釜９２内の実際の温度とに一定の差があり、また、第二温度センサ９４が直接に内釜９２の温度を計測することができるが、頂蓋９５に設けられるので、第二温度センサ９４と食材との間の距離が大きいため、従来の技術の電気炊飯器９０は低温熟成機とする機能に対して、低温熟成に求められる精確な温度制御の条件を満たすことができない。これにより、従来の技術の電気炊飯器９０は改善すべきの欠点がなおある。
【考案の概要】
【考案が解決しようとする課題】
【０００６】
従来の技術の欠点及び不足に鑑みて、本考案はサーモエレメントを備える電気炊飯器の上蓋を提供し、内釜に直接に挿入できる温度センサが設けられた上蓋によって、従来の技術における温度を精確に計測できない問題を解決する。
【０００７】
上述の考案の目的を達するために、本考案が採用している技術的手段はサーモエレメントを備える電気炊飯器の上蓋であり、
蓋体と、
該蓋体の底面に設けられる湾曲サーモエレメントとを含み、
該湾曲サーモエレメントは湾曲部と温度センサとを含み、該湾曲部の両端がそれぞれ該蓋体の底面及び該温度センサに接続されている。
【０００８】
本考案の利点について、本来頂蓋の内壁面に設けられた温度センサを湾曲サーモエレメントに装着することでその長さを延長する。言い換えると、ユーザが湾曲部を伸ばすと、該温度センサが下へ内釜の位置に延びることができ、ユーザが内釜内に湯を入れて低温熟成するとき、該温度センサに表示されたデータが実際の水温にあっているので、ユーザが該温度センサに検知された温度を観察することで、精確にその食材の加熱時間及び加熱強度を制御することができる。また、ユーザは湾曲部を原状態に回復して固定させる際に、該温度センサは従来の技術のようにセーフティー・スイッチの先端センサとして、内釜内には過熱の状況が発生したかを監視することができるので、本考案は従来の技術の機能を兼備する以外、センサの計測結果をさらに精確化する。
【０００９】
さらに、前記のサーモエレメントを備える電気炊飯器の上蓋において、該湾曲部は自在継手である。
【００１０】
さらに、前記のサーモエレメントを備える電気炊飯器の上蓋において、該湾曲部は蛇管である。
【００１１】
さらに、前記のサーモエレメントを備える電気炊飯器の上蓋において、該蓋体の底面に設けられる固定具をさらに含み、該湾曲サーモエレメントが選択的に該固定具に固定されている。
【００１２】
さらに、前記のサーモエレメントを備える電気炊飯器の上蓋において、該温度センサの長さが該湾曲部の長さより長く、該温度センサが選択的に該固定具に固定されている。
【００１３】
さらに、前記のサーモエレメントを備える電気炊飯器の上蓋において、該温度センサが管体であり、該固定具の底面に係合溝が形成され、該係合溝が該固定具の対向する両端まで延在し、該温度センサが選択的に該係合溝内に係合し収容され、該係合溝の開口の幅が該温度センサの幅より狭い。
【００１４】
さらに、前記のサーモエレメントを備える電気炊飯器の上蓋において、該温度センサは管体であり、該固定具はフックユニットで、該固定具は接続部とフック部とを含み、該接続部の先端が該蓋体の底面に接続され、該接続部の底端が該フック部の一端に接続され、該フック部の他端が該接続部に接続する該端湾曲に沿ってＵ字型フックを形成し、該温度センサが選択的に該フック部に固定されている。
【００１５】
さらに、前記のサーモエレメントを備える電気炊飯器の上蓋において、該蓋体は主体とシール蓋とを含み、該主体の底面に丸溝が設けられ、該シール蓋が該主体の該丸溝内に設けられ、該シール蓋の面積及び形状と該丸溝の面積及び形状とは同じであり、該湾曲部が該シール蓋に接続され、該固定具は該シール蓋に設けられる。
【００１６】
さらに、前記のサーモエレメントを備える電気炊飯器の上蓋において、その先端が該蓋体に底面に螺合し、その底端が該湾曲部に接続される接続管をさらに含む。
【００１７】
さらに、前記のサーモエレメントを備える電気炊飯器の上蓋において、該温度センサは鋼性の管体である。
【図面の簡単な説明】
【００１８】
【図１】図１は本考案の湾曲部が原状態に回復された場合の斜視外観図。
【図２】図２は本考案の湾曲部が伸長した場合の斜視外観図。
【図３】図３は本考案の部品分解図。
【図４】図４は本考案の固定具の断面概略図。
【図５】図５は本考案の一部の断面概略図。
【図６】図６は本考案の湾曲部が自在継手である断面概略図。
【図７】図７は本考案の湾曲部が蛇管である断面概略図。
【図８】図８は本考案が電気炊飯器に装着された場合の断面概略図。
【図９】図９は本考案の他実施例の湾曲部が原状態に回復された場合の斜視外観図。
【図１０】図１０は本考案の他実施例の湾曲部が伸長した場合の斜視外観図。
【図１１】図１１は本考案の接続管なしの実施例の部品分解図。
【図１２】図１２は本考案の固定具なしの実施例の斜視外観図。
【図１３】図１３は従来の技術の電気炊飯器の一部の部品分解図。
【図１４】図１４は従来の技術の電気炊飯器の上蓋の斜視外観図。
【考案を実施するための形態】
【００１９】
以下、図面及び本考案の最適の実施例を参照し、本考案が予定の発明目的を達成するために講じる技術的手段を詳述する。
【００２０】
図１、図２及び図３に示すように、本考案のサーモエレメントを備える電気炊飯器の上蓋は蓋体１０と、湾曲サーモエレメント２０と、固定具３０と、接続管４１とを含む。  
【００２１】
蓋体１０は主体１１とシール蓋１２とを含み、主体１１の底面に丸溝１３が凹設され、シール蓋１２は丸溝１３内に設けられ、シール蓋１２の面積及び形状と丸溝１３の面積及び形状とは同じであり、シール蓋１２が完全に主体１１の底面をシールすることができる。
【００２２】
湾曲サーモエレメント２０が蓋体１０の底面に設けられ、より精確に言えば、湾曲サーモエレメント２０はシール蓋１２の底面に設けられ、湾曲サーモエレメント２０は湾曲部２１と温度センサ２２とを含み、湾曲部２１の両端がそれぞれ蓋体１０の底面及び温度センサ２２に接続され、湾曲部２１と蓋体１０との間の接続につて、湾曲部２１が該シール蓋１２を貫通して主体１１の底面に接続することであるが、これに限定されることなく、湾曲部２１がシール蓋１２に装着してもよい。なお、温度センサ２２は湾曲部２１の自由端に接続される。
【００２３】
図５に示すように、本考案の主要実施例において、該温度センサ２２の長さが湾曲部２１の長さより長いが、該湾曲部２１と温度センサ２２との間の長さがこれに限定されることなく、湾曲部２１は湾曲可能な軟性材質であるが、これに限定することではない。
【００２４】
図６に示すように、本考案の又一実施例において、蓋体１０Ａに装着された湾曲部２１Ａが自在継手である。
【００２５】
図７に示すように、本考案の又一実施例において、蓋体１０Ｂに装着された湾曲部２１Ｂが蛇管であり、湾曲部２１が前記の湾曲可能な軟性材質、自在継手及び蛇管に限定されることなく、湾曲可能な結構であればよい。
【００２６】
本主要実施例において、温度センサ２２が剛性を有する丸管体であるが、これに限定されることなく、温度センサ２２の態様がユーザの必要に応じて変更可能である。
【００２７】
図１、図３及び図４に示すように、固定具３０が蓋体１０の底面に設けられ、より精確に言えば、固定具３０はシール蓋１２の底面に設けられ、温度センサ２２が選択的に、固定具３０に固定されるが、これに限定されることなく、本考案は該固定具３０を設けることではなく、図１２に示すように、湾曲部２１そのものが温度センサ２２を湾曲させかつ固定支持する機能を備えてもよい。
【００２８】
図４に示すように、より精確に言えば、固定具３０の底面に係合溝３１が凹設成形され、係合溝３１の両端が固定具３０の横方向の両側まで連通され、温度センサ２２が係合溝３１内に係合し収容され、側面視の場合、該係合溝３１の開口の幅が温度センサ２２の丸管体の径向の幅より小さく、温度センサ２２が若干押さえながら係合溝３１内に設置されている。
【００２９】
図９、図１０及び図１１に示すように、本考案の又一実施例において、固定具３０Ｃはフックユニットであり、固定具３０Ｃは接続部３２Ｃとフック部３３Ｃとを含み、接続部３２Ｃの先端が蓋体１０Ｃの底面に接続され、接続部３２Ｃの底端がフック部３３Ｃの一端に接続され、フック部３３Ｃの他端が該接続部３２Ｃに接続する該端の湾曲に沿ってＵ字型フックを形成し、かつフック部３３Ｃの該他端と蓋体１０Ｃの底面が間隔を空けて設置され、温度センサ２２Ｃを通過させ、該フック部３３Ｃ内に吊り下げさせる。
【００３０】
図３に示すように、接続管４１の先端は蓋体１０の底面に螺合し、より精確に言えば、接続管４１はシール蓋１２を貫通し、主体１１の底面に螺合し、接続管４１の底端が湾曲部２１に接続される。接続管４１は蓋体１０と湾曲部２１との間の接続関係を強化することができ、また、温度センサ２２内部の回路が蓋体１０内の他の回路ボードに接する箇所で完全にシールドできるように保護するが、これに限定されることなく，本考案は該接続管４１を設置することではなく、図１１に示すように、係止件４２Ｃを利用して、係止件４２Ｃを主体の底面とシール蓋１２Ｃの頂面との間に介在させて、湾曲部２１Ｃを係止件４２Ｃの下方に接続し、湾曲部２１Ｃをシール蓋１２Ｃに接続し、即ち、本考案は螺合以外の方式で湾曲部２１Ｃをより安定にシール蓋１２Ｃに設置してもよい。
【００３１】
以下、本考案の使用態様及び利点を簡単に説明する。
【００３２】
図２及び図８に示すように、本考案は前記の一般の電気炊飯器９０の上蓋として使用される場合、該外釜９１と内釜９２と合わせて使われ、蓋体１０が外釜９１及び内釜９２の頂部に覆設され、一般の蒸煮の場合、温度センサ２２は固定具３０に挟み込まれ、湾曲部２１を湾曲の態様にして、蓋体１０の底面にあるシール蓋１２によって一般の蒸煮中の気密性をさらに強化し、熱源を内釜９２内に効果的に封鎖させ、また、シール蓋１２の底面にある温度センサ２２は同時に内釜９２の温度の検知及びセーフティー・スイッチとする機能を含む。
【００３３】
図２、図４及び図８に示すように、ユーザが低温熟成設備として電気炊飯器９０を使う場合、該温度センサ２２を固定具３０から分離し、湾曲の湾曲部２１によって、温度センサ２２を蓋体１０に対して湾曲させ、即ち、温度センサ２２が下へ内釜９２内に延びることができ、ユーザが内釜９２内に水を充填し、加熱し始まった後で、温度センサ２２が水源に直接に接触するので、温度センサ２２に検知されたデータが非常に精確になり、低温熟成の温度変化に求められる精確度に達する。
【００３４】
図１及び図２に示すように、言い換えると、本考案は温度センサ２２の位置及び結構を調整することで、一般の家庭用の電気炊飯器９０が簡単な装置の切替え（温度センサ２２を下へ湾曲させること）によって、低温熟成を実施可能な機器に転換できるので、本考案は構造が簡単だけではなく、電気炊飯器９０の備える機能性をより向上させる。
【００３５】
上記は本考案の最適の実施例だけであり、本考案を如何なる形式で制限することではなく、本考案は最適の実施例によって上記のように記載されているが、それらで本考案を限定されることなく、如何なる当業者が本考案の技術案を脱離しない範囲内に、上記記載の技術内容に基づき若干の変更又は修飾を行うことで均等変化された均等実施例にすることができる。本考案の技術案の内容から脱離せず、本考案の技術の実質に基づき上記実施例に行った如何なる簡単な補正、均等変化及び修飾は何れも本考案の技術案の範囲に属している。
【符号の説明】
【００３６】
１０蓋体                  
１１主体
１２シール蓋              
１３丸溝
２０湾曲サーモエレメント  
２１湾曲部
２２温度センサ            
３０固定具
３１係合溝                
４１接続管
９０電気炊飯器            
９１外釜
９２内釜                  
９３第一温度センサ
９４第二温度センサ        
９５頂蓋
１０Ａ蓋体                
２１Ａ湾曲部
１０Ｂ蓋体                
２１Ｂ湾曲部
１０Ｃ蓋体                
１２Ｃシール蓋
２１Ｃ湾曲部              
２２Ｃ温度センサ
３０Ｃ固定具              
３２Ｃ接続部
３３Ｃフック部            
４２Ｃ係止件
【図１】
0003215191.tif 000003
【図２】
0003215191.tif 000004
【図３】
0003215191.tif 000005
【図４】
0003215191.tif 000006
【図５】
0003215191.tif 000007
【図６】
0003215191.tif 000008
【図７】
0003215191.tif 000009
【図８】
0003215191.tif 000010
【図９】
0003215191.tif 000011
【図１０】
0003215191.tif 000012
【図１１】
0003215191.tif 000013
【図１２】
0003215191.tif 000014
【図１３】
0003215191.tif 000015
【図１４】
0003215191.tif 000016
【手続補正書】
【提出日】平成29年12月27日(2017.12.27)
【手続補正１】
【補正対象書類名】実用新案登録請求の範囲
【補正対象項目名】全文
【補正方法】変更
【補正の内容】
【実用新案登録請求の範囲】
【請求項１】
蓋体と、
前記蓋体の底面に設けられる湾曲サーモエレメントとを含み、
前記湾曲サーモエレメントは湾曲部と温度センサとを含み、前記湾曲部の両端がそれぞれ前記蓋体の底面及び前記温度センサに接続されているサーモエレメントを備える電気炊飯器の上蓋。
【請求項２】
前記湾曲部は自在継手である請求項１に記載のサーモエレメントを備える電気炊飯器の上蓋。
【請求項３】
前記湾曲部は蛇管である請求項１に記載のサーモエレメントを備える電気炊飯器の上蓋。
【請求項４】
前記蓋体の底面に設けられる固定具をさらに含み、前記湾曲サーモエレメントが選択的に前記固定具に固定されている請求項１〜３の何れか一項に記載のサーモエレメントを備える電気炊飯器の上蓋。
【請求項５】
前記温度センサの長さが前記湾曲部の長さより長く、前記温度センサが選択的に前記固定具に固定されている請求項４に記載のサーモエレメントを備える電気炊飯器の上蓋。
【請求項６】
前記温度センサが管体であり、
前記固定具の底面に係合溝が形成され、前記係合溝が前記固定具の対向する両端まで延在し、前記温度センサが選択的に前記係合溝内に係合し収容され、前記係合溝の開口の幅が前記温度センサの幅より狭い請求項５に記載のサーモエレメントを備える電気炊飯器の上蓋。
【請求項７】
前記温度センサは管体であり、前記固定具はフックユニットで、前記固定具は接続部とフック部とを含み、前記接続部の先端が前記蓋体の底面に接続され、前記接続部の底端が前記フック部の一端に接続され、前記フック部の他端がＵ字型フックを形成し、前記温度センサが選択的に前記フック部に固定されている請求項５に記載のサーモエレメントを備える電気炊飯器の上蓋。
【請求項８】
前記蓋体は主体とシール蓋とを含み、
前記主体の底面に丸溝が設けられ、前記シール蓋が前記主体の前記丸溝内に設けられ、前記シール蓋の面積及び形状と前記丸溝の面積及び形状とは同じであり、前記湾曲部が前記シール蓋に接続される請求項１〜３の何れか一項に記載のサーモエレメントを備える電気炊飯器の上蓋。
【請求項９】
その先端が前記蓋体に底面に螺合し、その底端が前記湾曲部に接続される接続管をさらに含む請求項１〜３の何れか一項に記載のサーモエレメントを備える電気炊飯器の上蓋。
【請求項１０】
前記温度センサは鋼性の管体である請求項１〜３の何れか一項に記載のサーモエレメントを備える電気炊飯器の上蓋。
【手続補正２】
【補正対象書類名】明細書
【補正対象項目名】００１４
【補正方法】変更
【補正の内容】
【００１４】
さらに、前記のサーモエレメントを備える電気炊飯器の上蓋において、該温度センサは管体であり、該固定具はフックユニットで、該固定具は接続部とフック部とを含み、該接続部の先端が該蓋体の底面に接続され、該接続部の底端が該フック部の一端に接続され、該フック部の他端がＵ字型フックを形成し、該温度センサが選択的に該フック部に固定されている。